(57)【要約】【課題】振動による影響を受けにくく、帯電防止性に優れた計器装置を得る。【解決方法】透視部３１を有する表示板３と、透視部３１を通して視認可能に配置された液晶表示器２と、この液晶表示器２の背面側に配置され液晶表示器２と電気的に接続された回路基板４と、この回路基板４と表示板と３の間に配置される中ケース６と、表示板３の前面側に配置され表示板３の視認不要な箇所を隠す見返し板５と、を備えた計器装置において、表示板３に帯電した静電気を回路基板４のアースへ流すアース体１０を備え、アース体１０は、表示板３に接触する第１の接触部１１と、回路基板４に接触する第２の接触部１３と、これら第１，第２の接触部１１，１３を繋ぐ接続部１２とからなり、中ケース６に接続部１２を保持する差し込み部５０を設けた。【選択図】図２
2010127800.tif 000002
【特許請求の範囲】
【請求項１】
透視部を有する表示板と、
前記透視部を通して視認可能に配置された表示素子と、
この表示素子の背面側に配置され前記表示素子と電気的に接続された回路基板と、
この回路基板と前記表示板との間に配置されるケース体と、
前記表示板の前面側に配置され前記表示板の視認不要な箇所を隠す見返し板と、
を備えた計器装置において、
前記表示板に帯電した静電気を前記回路基板のアースへ流す第１の導通部材を備え、
前記第１の導通部材は、前記表示板に接触する第１の接触部と、前記回路基板に接触する第２の接触部と、これら第１，第２の接触部を繋ぐ接続部とからなり、
前記ケース体に前記接続部を保持する保持部を設けたことを特徴とする計器装置。
【請求項２】
前記第１の接触部は、前記表示板に接触する箇所に所定のテンションが付与される
押圧部を有することを特徴とする請求項１に記載の計器装置。
【請求項３】
前記回路基板と前記第２の接触部との間に第２の導通部材を設けたことを特徴とする請求項１及び請求項２に記載の計器装置。
【請求項４】
前記第２の接触部は、前記回路基板を貫通し、その裏面に半田付けによって固定されていることを特徴とする請求項１及び請求項２に記載の計器装置。
【発明の詳細な説明】
【技術分野】
【０００１】
本発明は、静電気防止構造を備えた計器装置に関するものである。
【背景技術】
【０００２】
この種の計器装置として、例えば下記特許文献１に記載のものが知られている。この計器装置は、液晶パネルからなる表示素子と、表示素子と回路基板とを接続する導電ゴムとが設けられるホルダーと、ホルダーを介して表示素子を回路基板に設置するためのセル抑えを有する。このセル抑えは回路基板方向に延びる腕片を備え、その腕片はホルダーに設けられた誘い込み部に差し込まれ、回路基板の背面側に突出した部分を折り込んで回路基板にビス止めすることで、表示素子と導電ゴムと回路基板とを密着させて、電気的接続を確保しつつ、一体的に保持固定するものである。
【０００３】
また、静電気防止構造として表示板と回路基板と裏蓋とをコイルバネを用いて導通状態に接続させることで、表示板に帯電される静電気の電圧を降下させるものが知られている（特許文献２参照）。
【特許文献１】特開２００６−２２１０１７号公報
【特許文献２】特開平９−２３００６５号公報
【発明の開示】
【発明が解決しようとする課題】
【０００４】
しかしながら、特許文献１に記載の計器装置は、液晶表示パネルがパネル上に帯電する静電気の影響を受けて誤表示してしまう虞があった。また、特許文献２に記載のような静電気防止構造を車両用計器に適用した場合では、バネの弾力性を抑制しないように保持するために、バネの収縮時を想定してコイルバネ周辺には十分なクリアランスが設けられてある。そのため、車両の振動などによってコイルバネが振れてコイルバネを保持している周壁に当たり、異音が発生するなどの理由から、車両用計器には不向きであった。
【０００５】
本発明は、この様な点に鑑みなされたもので、振動による影響を受けにくい静電気防止構造を備えた計器装置を提供することを目的とする。
【課題を解決するための手段】
【０００６】
本発明は前記課題を解決するため、
透視部を有する表示板と、
前記透視部を通して視認可能に配置された表示素子と、
この表示素子の背面側に配置され前記表示素子と電気的に接続された回路基板と、
この回路基板と前記表示板との間に配置されるケース体と、
前記表示板の前面側に配置され前記表示板の視認不要な箇所を隠す見返し板と、
を備えた計器装置において、
前記表示板に帯電した静電気を前記回路基板のアースへ流す第１の導通部材を備え、
前記第１の導通部材は、前記表示板に接触する第１の接触部と、前記回路基板に接触する第２の接触部と、これら第１，第２の接触部を繋ぐ接続部とからなり、
前記ケース体に前記接続部を保持する保持部を設けたものである。
【０００７】
また、本発明は、前記第１の接触部は、前記表示板に接触する箇所に所定のテンションが付与される押圧部を有するものである。
【０００８】
また、本発明は、前記回路基板と前記第２の接触部との間に第２の導通部材を設けたものである。
【０００９】
また、本発明は、前記第２の接触部は、前記回路基板を貫通し、その裏面に半田付けによって固定されているものである。
【発明の効果】
【００１０】
本発明によれば、振動による影響を受けにくい静電気防止構造を備えた計器装置を得ることができる。
【発明を実施するための最良の形態】
【００１１】
本発明の一実施例として車両計器に適用した例を添付図面に基づいて説明する。図１は、計器装置の正面図である。図２は図１のＡ−Ａ断面図、図３はアース体の差し込み構造を説明した斜視図、図４はアース端子の斜視図、図５はアース体の第２実施例を示した図である。
【００１２】
本実施形態における計器装置は、図１及び図２に示すように、透明な上ケース１と、一体型ユニットからなる液晶表示器（表示素子）２と、液晶表示器２を視認可能なように透視部３１を有する表示板３と、液晶表示器２の背後に配置され液晶表示器２と電気的に接続された硬質の回路基板４と、表示板３上に配置され、表示板３の所定箇所を視認できないように被う見返し部材５と、回路基板４と表示板３との間に配置される中ケース（ケース体）６と、回路基板４の裏面側を被う下（裏）ケース７とから主に構成されている。
【００１３】
液晶表示器２は、２枚のガラス基板間に液晶分子を封入し、各々のガラス基板に例えばスモーク調の偏光膜を貼り合わせた矩形の液晶表示パネル２１と、この液晶表示パネル２１の裏面側に配置され光透過性を有する図示しない拡散板と、液晶表示パネル２１および拡散板が支持されるホルダー２２と、液晶表示パネル２１の表面側周縁を抑える枠状の縁部を有する図示しないパネル抑えと、回路基板４上に実装され液晶表示パネル２１を背後から照明する光源としての発光ダイオード（図示せず）とから主に構成される。なお、これら各部品は液晶表示器２としてユニット化されている。また本実施形態では、表示装置として液晶表示器２を適用したが、電気信号に応じて情報を表示するものでれば液晶表示器２に限らず任意の表示素子を適用でき、例えばＥＬパネルであってもよい。
【００１４】
表示板３は、透明な合成樹脂パネルからなる基材の表面に、所定色からなり目盛，文字，マーク等を形成する透光性の着色印刷層とこの着色印刷層の周囲を囲むように目盛，文字，マーク等の背景となる地色印刷層とを備え（図示しない）、本実施例では観察者から液晶表示器２が透視可能なように透視部３１が設けられている。
【００１５】
回路基板４は、周知な硬質の基板で形成され、その所定箇所にはフレキシブル配線板を介して表示パネルの各電極端子（図示せず）と導通接続されている。また回路基板４はアース体（第１の導通部材）１０と、アース端子（第２の導通部材）１４とを通じて表示板３と電気接続されており、これにより表示板３に帯電した静電気を回路基板４の図示しないアースパターンへ流すものである。
【００１６】
アース体１０（第１の導通部材）は金属性材料からなる導通部材であり、図３に示すように、表示板３に接触する第１の接触部１１と、第１の接触部１１の端部から屈曲して回路基板４側に延びると共に第１の接触部１１と後述する第２の接触部とを繋ぐ胴部（接続部）１２と、胴部１２の回路基板４側端部から回路基板４の基板面に沿うように屈曲し、回路基板４に接触する第２の接触部１３とから構成されている。
【００１７】
第１の接触部１１は、表示板３と組付けされる際に、表示板３から所定のテンションを加えられた状態で抑えられるように、押圧部１１０が表示板３側に近づくように傾いて形成されている。すなわち、押圧部１１０と胴部１２とのなす角度が９０度よりも大きく設定されることで、表示板３との組み付け状態では、押圧部１１０が表示板３と弾性（テンション）を有して接触するように設定されている。
【００１８】
胴部１２には、その略中央箇所両脇に後述する差し込み部に設けられた受け部に当接する当接部１２１が形成されている(図４参照)。
【００１９】
第２の接触部１３は、胴部１２の下端部から液晶表示器２側へ胴部１２と垂直になるように延長形成されている。
【００２０】
アース端子１４は、図４に示すように、例えば全体がＺ型形状の金属製オンボードコンタクトからなり、全体がＺ型形状であることから、垂直に伸縮するバネ性を有し、半田付けによって回路基板４上に固定されている。バネ性を有するアース端子１４を用いることで、組付けの際、第２の接触部１３とアース端子１４との接触位置に多少のズレが生じても、確実な接触を図ることができる。
【００２１】
見返し部材５は、黒色の合成樹脂からなり、表示板３の非表示領域を覆うように配置される。  このとき、第１の接触部１１と当接している表示板３箇所には、第１の接触部（押圧部１１０）に上向き（観察者側）に働くテンションが加えられているため、表示板３が浮き上がる虞があるが、見返し部材５で下向き（回路基板４側）に押さえつけることによって、表示板３の浮き上がりを防止することができる。
【００２２】
中ケース６は、例えば白色の合成樹脂からなり、液晶表示器２を収納支持するホルダー２２が一体に形成される。また図２に示すように、中ケース６の側壁には、アース体１０が差し込み固定（保持）される差し込み部（保持部）６０が一体形成されている。差し込み部６０は、図４に示すように、アース体１０を差し込み部６０に矢印方向に差し込む際に第２の接触部１３を通すための切り欠き部６１を有すると共にアース体１０の差し込み完了時に、その当接部１２１が当接する受け部５２が設けられている。
【００２３】
次に、本実施例における計器装置の組付け方法を説明する。まず、裏ケース７に液晶表示器２用の光源（図示せず）とアース端子１４とが実装された回路基板４を組み付ける。その後、アース体１０が差し込み部６０に差し込まれた中ケース６を、回路基板４を配置した裏ケース７上に配置する。この際、回路基板４のアース端子１４と第２の接触部１３とが接触する。そして、表示板３を中ケース６上に配置すると、第１の接触部１１と表示板３が接触する。その後、見返し部材５を表示板３上に配置して表示板３をアース体１０の第１の接触部１１側に押圧する。最後に上ケース１を組み付けて完了となる。
【００２４】
この様に、透視部３１を有する表示板３と、透視部３１を通して視認可能に配置された液晶表示器（表示素子）２と、この液晶表示器２の背面側に配置され液晶表示器２と電気的に接続された回路基板４と、この回路基板４と表示板３との間に配置される中ケース（ケース体）６と、表示板３の前面側に配置され表示板３の視認不要な箇所を隠す見返し板５と、を備えた計器装置において、表示板３に帯電した静電気を回路基板４のアースへ流すアース体（第１の導通部材）１０を備え、アース体１０は、表示板３に接触する第１の接触部１１と、回路基板４に接触する第２の接触部１３と、これら第１，第２の接触部を繋ぐ接続部１２とからなり、中ケース（ケース体）６に接続部１２を保持する差し込み部（保持部）５０を設けたことにより、車両の振動などによるがたつきを防止することができる。これによって、振動による影響を受けにくく、静電気防止構造を備えた計器装置を得ることができる。
【００２５】
また、第１の接触部１１は、表示板３と接触する箇所に所定のテンションが付与される押圧部１１０を有することによって、表示板３との確実な接触を得る事ができる。
【００２６】
また、回路基板４と第２の接触部１３との間にアース端子（第２の導通部材）１４を設けたことによって、更に確実な接触を得る事ができる。
【００２７】
なお、本実施形態においては、第１の接触部１１が表示板３側へ傾いた構造となっているが、確実な接触が保たれるならばこれに限定されず、例えば第２の実施形態として図５に示すように、第１の接触部１１の略中央部分に突起部を設けても良く、その場合、表示板３と確実に当接するようにしておけば良い。
【００２８】
また、第３の実施形態として図示は省略するが、アース端子１４を廃止し、その代わりに第２の接触部１３を回路基板４に設けた貫通孔に貫通させ、回路基板４側に折り曲げた後に半田で固定する方法もある。この場合、第２の接触部１３はアース端子１４と接触させる必要がないため、組付作業を簡素化でき、半田で固定することにより、より確実な接触を得ることができる。
【図面の簡単な説明】
【００２９】
【図１】本発明の一実施例における計器装置の正面図。
【図２】同上のＡ−Ａ断面図。
【図３】同上のアース体の差し込み構造の斜視図。
【図４】同上のアース端子の斜視図。
【図５】同上の第２実施例におけるアース体の構造斜視図。
【符号の説明】
【００３０】
１      上ケース    
２      液晶表示器  
３      表示板
４      回路基板
５      見返し部材
６      中ケース（ケース体）
７      裏ケース
１０    アース体（第１の導通部材）
１１    第１の接触部
１２    接続部（胴部）
１３    第２の接触部
１４    アース端子（第２の導通部材）
２１    液晶表示パネル
２２    ホルダー
５０    差し込み部（保持部）
５１    切り欠き部
５２    受け部
１２１  当接部
【図１】
2010127800.tif 000003
【図２】
2010127800.tif 000004
【図３】
2010127800.tif 000005
【図４】
2010127800.tif 000006
【図５】
2010127800.tif 000007